(57)【特許請求の範囲】
【請求項１】
長尺な原料紙材が巻回されたロールから紙製緩衝材を製造するための紙製緩衝材製造装置であって、
a) 2枚の対向する略同形の台形の板である正面板及び背面板と、該正面板及び背面板の両斜辺同士を接続する2枚の側面板から構成される本体部と、
b) 該本体部の前記台形の長底側に設けられた、該長底に平行に配置された前記ロールの軸の両端を回動可能に保持するロール保持部
を有し、
前記本体部が、1枚のシート材を折り曲げることにより作製したものであり、
前記ロール保持部が、前記側面板の2本の前記長底で挟まれた辺からシート材を内側に折り曲げることにより形成されていることを特徴とする紙製緩衝材製造装置。
【請求項２】
前記シート材が段ボールであることを特徴とする請求項１に記載の紙製緩衝材製造装置。
【請求項３】
前記本体部の前記ロール保持部側に蓋が設けられていることを特徴とする請求項１又は２に記載の紙製緩衝材製造装置。
【請求項４】
前記正面板又は前記背面板に原料紙材確認用の窓が設けられていることを特徴とする請求項１〜３のいずれかに記載の紙製緩衝材製造装置。
【発明の詳細な説明】
【技術分野】
【０００１】
本発明は、物品を輸送する際等に、容器と物品の間の空間に詰めて使用される紙製緩衝材を製造する装置に関する。
【背景技術】
【０００２】
段ボール箱などの容器に物品を収容して輸送する際に容器内で物品が動くと該物品が傷ついたり破損したりする。そこで、物品と容器の間の空間を埋め、物品に加わる衝撃を吸収するために緩衝材が用いられる。このような緩衝材の一つに、クラフト紙等のやや厚手の柔らかい紙にひだ状に皺を付け、クッション性を持たせた紙製緩衝材がある。
【０００３】
このような緩衝材は、素材となる紙を巻いたロールから紙を引き出し、幅寄せすることにより皺を付けて棒状に近い形にした後、適宜の長さに切ることにより作製する。特許文献１にはこれを電動で行う装置が記載されており、ロール状に巻かれた紙がモータで駆動されるローラによって引き出され、その原料紙ロールと引き出しローラの間に設けられた、両端を湾曲させるための成形バーと幅狭の開口に通されることによって皺が付けられる。
【０００４】
特許文献２には手動タイプのものが記載されている。この緩衝材製造装置は、紙材を巻回したロールを保持する保持部と、保持部から遠ざかるにつれて幅が狭くなる一対の側面板と、両側面板の先端に設けられた、開口を有する接続板から成るフレームが、箱容器内に収容されて成る。開口の周縁には皺寄せのための波形状が形成されており、紙材をロールから引き出し、一対の側面板で幅を狭くした後、フレーム及び箱容器の開口を通じて引っ張り出すことによって紙製緩衝材が作製される。
【先行技術文献】
【特許文献】
【０００５】
【特許文献１】特表2007-530317号公報
【特許文献２】米国特許第5,131,903号公報
【発明の概要】
【発明が解決しようとする課題】
【０００６】
特許文献１に記載のような電動タイプのものは、モータが必要であるため小型軽量化が難しく、長時間連続で使用される場合には電源が必要であるため使用場所が限られる。従って、簡単に紙製緩衝材を作製するには手動タイプのものが優れているが、特許文献２の緩衝材製造装置はフレームと箱容器の二重構造から成り、複雑であるため組み立て作業に時間がかかる。また、ロールを交換する際、箱容器からフレームを取り出す必要があり手間がかかる。しかも、ロールに紙材が残っている場合は、箱容器からフレームを取り出そうとしても、紙材がフレーム及び箱容器の開口に引っ掛かって取り出し難い。
【０００７】
本発明は上記課題を解決するためになされたものであり、その目的は組み立て作業が容易で、且つ、紙材を巻回したロールを交換し易い構造を有する紙製緩衝材製造装置を提供することである。
【課題を解決するための手段】
【０００８】
上記課題を解決するために成された本発明は、長尺な原料紙材が巻回されたロールから紙製緩衝材を製造するための紙製緩衝材製造装置であって、
a) 2枚の対向する略同形の台形の板である正面板及び背面板と、該正面板及び背面板の両斜辺同士を接続する2枚の側面板から構成される本体部と、
b) 該本体部の前記台形の長底側に設けられた、該長底に平行に配置された前記ロールの軸の両端を回動可能に保持するロール保持部
を有することを特徴とする。
【０００９】
本発明に係る紙製緩衝材製造装置の使用方法は次の通りである。まず、使用者が前記ロールから原料紙材を引き出し、その先端を手で絞って本体部の前記台形の短底側に形成された本体部の開口から引き出す。そして、ロールの軸の両端をロール保持部に保持させる。このとき、長尺な紙材は本体部内で長手方向にも多少の皺が寄るが、問題はない。その後、前記開口から引き出されている紙材をさらに引き出すと、本体部内での長手方向の皺が伸び、その後は紙材がロールから巻き出されて、本体部の両側面板により幅寄せされ、皺が寄った紙材が開口から引き出されてくる。適宜の長さのところでその紙材を手でちぎるか、ハサミ等で切ることにより、それを緩衝材として用いることができる。原料紙材にミシン目が付いている場合には、その箇所で切断する。
【００１０】
前記本体部は、1枚の段ボール、厚紙、プラスチック等のシート材を折り曲げることにより作製したものであることが望ましい。これにより、作製が容易となり、軽量化することができる。この中では、廃棄の際に環境に負荷を与えないという点で段ボール又は厚紙が望ましい。
【００１１】
その場合、前記ロール保持部は、前記側面板の2本の前記長底で挟まれた辺からシート材を内側に折り曲げることにより形成することが望ましい。これにより、ロール保持部も本体部と同じシート材で一体に形成することができ、軽量化に寄与する。
【００１２】
また、前記本体部の前記ロール保持部側には蓋を設けることが望ましい。この蓋は、前記同様、前記長底からシート材を延出して形成することが望ましい。
【発明の効果】
【００１３】
本発明に係る紙製緩衝材製造装置は、本体部が2枚の対向する略同形の台形の板である正面板及び背面板と、該正面板及び背面板の両斜辺同士を接続する2枚の側面板から構成され、その台形の長底側にロール保持部が設けられているという単純な構成であるため、小型かつ軽量であって、組み立て作業も容易である。また、電源が不要であるため、使用場所が限られず、紙製緩衝材が必要とされるどのような現場にも持って行き、使用することができる。
【００１４】
そして、本発明に係る紙製緩衝材製造装置では紙製緩衝材の原料である長尺の原料紙材ロールをロール保持部に容易にセットすることができ、途中でも（未だ原料紙材がロールに残っている場合でも）容易に原料紙材ロールをロール保持部から取り外し、別の原料紙材ロールをロール保持部に取り付けることができる。このため、必要とされる種類の紙製緩衝材を短時間で切替えて製造することができる。
【００１５】
なお、本発明に係る紙製緩衝材製造装置は、ロール保持部に予め原料紙材が巻回されたロールをセットしておいた形で提供（販売）するようにしてもよい。
【図面の簡単な説明】
【００１６】
【図１】本発明の一実施例である紙製緩衝材製造装置の斜視図。
【図２】実施例の紙製緩衝材製造装置を正面板側から見た平面図。
【図３】実施例の紙製緩衝材製造装置の側面図。
【図４】実施例の紙製緩衝材製造装置の展開図。
【図５】実施例の紙製緩衝材製造装置のロール保持部を詳しく示す断面図。
【発明を実施するための形態】
【００１７】
以下、本発明の一実施例である紙製緩衝材製造装置１０について図面を参照して説明する。図１は本実施例の紙製緩衝材製造装置１０を、紙製緩衝材の取出口１２を上にして置いた場合の斜視図である。図１に示すように、本紙製緩衝材製造装置１０の本体１１は全体としてやや厚い板状であり、平面形状は図２に示すように、短底が非常に短い台形形状をなしている。図３に示すように、本体１１の厚さは一様ではなく、台形の長底部分においてやや厚く、短底部分において薄くなっている。
【００１８】
本紙製緩衝材製造装置１０は1枚の段ボールを折り曲げることにより作製される。その1枚の段ボール（段ボールブランク）の展開図を図４に示す。図４に示すように、本紙製緩衝材製造装置１０の段ボールブランクは、台形の正面板１４及び背面板１５、それらの斜辺同士を接続する第１側面板１６及び第２側面板１７、正面板１４及び背面板１５の長底からそれぞれ延出する上蓋フラップ１８及び下蓋フラップ１９、そして、第１側面板１６及び第２側面板１７の長底側から延出する第１保持フラップ２０及び第２保持フラップ２１から成る。
【００１９】
その組み立て方法は次の通りである。段ボールブランクを正面板１４、第１側面板１６、背面板１５、第２側面板１７の各板の境界線で折り曲げ、正面板１４と第２側面板１７をロック付フラップ差込み２２と糊代２３により固定する。これにより本紙製緩衝材製造装置１０の本体が形成される。
【００２０】
次に、第１側面板１６及び第２側面板１７に設けられた第１ストッパ２４及び第２ストッパ２５を本体１１の内部側に押し込み、第１保持フラップ２０及び第２保持フラップ２１をそれぞれ本体１１の内側に折り曲げてその先端を第１ストッパ２４及び第２ストッパ２５に当接させる。これにより、図５に示すように、本体１１の長底側の左右にロール保持部１３が形成される。
【００２１】
そして、原料紙ロール３０から原料紙を引き出し、先端を手で絞って細くし、本体１１の台形の短底の開口（紙製緩衝材取出口）１２から引き出す。そして、原料紙ロール３０の軸（紙管）を左右のロール保持部１３に保持させる。その後、背面板１５から延出する下蓋フラップ１９を90°折り曲げ、その両側端に形成された軸押さえ２６、２７を更に90°折り曲げる。これにより、原料紙ロール３０の軸（紙管）３１の両側はそれぞれ上下からしっかりと保持される。最後に、正面板１４から延出する上蓋フラップ１８を90°折り曲げ、ロック付フラップ差込み２８により背面板１５に固定する。
以上で紙製緩衝材製造装置１０が完成する。
【００２２】
その後は、本体１１を固定しつつ、紙製緩衝材取出口１２から突出する紙材３２を手で引き出し、適宜の長さのところでカッターで切断するか、原料紙にミシン目がある場合にはそこで切断する。こうして切断された部分が紙製緩衝材となる。なお、本紙製緩衝材製造装置１０は、背面板１５を下にしてテーブルの上に置いてもよいし、ロール保持部１３を下にして（上蓋フラップ１８の面を下にして）床等に置いてもよい。また、ロール保持部１３を上にして吊り下げてもよい。その場合、第１側面板１６と第２側面板１７にそれぞれ設けた通し穴３３、３４と、ロール保持部１３に保持された原料紙ロール３０の軸（紙管）３１に紐又はパイプを通して吊り下げることにより、安全な作業を行うことができる。
【００２３】
原料紙ロール３０の原料紙が無くなった場合は、上蓋フラップ１８及び下蓋フラップ１９を開け、原料紙ロール３０の空になった紙管３１を取り出して、新しい原料紙ロール３０を前記同様に取り付ける。また、使用の途中で原料紙を変更したい場合にも、上蓋フラップ１８及び下蓋フラップ１９を開け、原料紙ロール３０を原料紙とともに引き出して、新しい原料紙ロール３０を同様に取り付ける。正面板１４（又は背面板１５）に設けられた窓２９により、内部にセットされている原料紙の種類及びその有無が容易に分かる。
【符号の説明】
【００２４】
１０…紙製緩衝材製造装置
１１…本体
１２…紙製緩衝材取出口
１３…ロール保持部
１４…正面板
１５…背面板
１６…第１側面板
１７…第２側面板
１８…上蓋フラップ
１９…下蓋フラップ
２０…第１保持フラップ
２１…第２保持フラップ
２３…糊代
２４…第１ストッパ
２５…第２ストッパ
２９…窓
３０…原料紙ロール
３１…紙管
３２…紙材
３３、３４…通し穴
【図１】
0006535240.tif 000002
【図２】
0006535240.tif 000003
【図３】
0006535240.tif 000004
【図４】
0006535240.tif 000005
【図５】
0006535240.tif 000006